(57)【要約】【課題】フェライトコア内蔵コネクタの小型化を図る。【解決手段】端子金具２０と環状のフェライトコア３０Ａ、３０Ｂと、端子金具２０と、フェライトコア３０Ａ、３０Ｂを収容し、相手方コネクタと嵌合するコネクタハウジング１１とを備えたフェライトコア内蔵コネクタ１０であって、端子金具２０は、嵌合方向に延出し、入出力部となる複数本のタブ端子部２２Ａ、２２Ｂと、タブ端子部２２Ａ、２２Ｂを連結する基部２３とを備えており、複数本のタブ端子部２２Ａ、２２Ｂには、フェライトコア３０Ａ、３０Ｂが少なくとも１つ以上嵌めこまれており、タブ端子部２２Ａ、２２Ｂの並び方向に隣接するフェライトコア３０Ａ、３０Ｂは、嵌合方向に関しては前後にずれて配置されており、タブ端子部２２Ａ、２２Ｂの並び方向に関してはラップするように配置されている。【選択図】図１
2014216094.tif 000002
【特許請求の範囲】
【請求項１】
端子金具と、
環状のフェライトコアと、
前記端子金具と前記フェライトコアを収容し、相手方コネクタと嵌合するコネクタハウジングとを備えたフェライトコア内蔵コネクタであって、
前記端子金具は、嵌合方向に延出し、入出力部となる複数本のタブ端子部と、前記タブ端子部を連結する基部とを備えており、
前記複数本のタブ端子部には、前記フェライトコアが少なくとも１つ以上嵌めこまれており、
前記タブ端子部の並び方向に隣接する前記フェライトコアは、嵌合方向に関しては前後にずれて配置されており、前記タブ端子部の並び方向に関してはラップするように配置されていることを特徴とするフェライトコア内蔵コネクタ。
【請求項２】
前記入力部となる前記タブ端子部に嵌めこまれた前記フェライトコアと、前記出力部となる前記タブ端子部に嵌めこまれた他の前記フェライトコアとは、除去可能なノイズ成分の周波数帯域が異なることを特徴とする請求項１に記載のフェライトコア内蔵コネクタ。
【発明の詳細な説明】
【技術分野】
【０００１】
本発明は、フェライトコア内蔵コネクタに関するものである。
【背景技術】
【０００２】
ジョイントコネクタの中には、ＣＡＮ（Ｃｏｎｔｒｏｌ  Ａｒｅａ  Ｎｅｔｗｏｒｋ）通信によって自動車に搭載された電子部品を制御しており、信号伝送に悪影響を及ぼすノイズ電流を除去するために、嵌合方向に突出するバスバー端子に対して環状のフェライトコアを嵌めこんだものが知られている（下記、特許文献１参照）。
【先行技術文献】
【特許文献】
【０００３】
【特許文献１】特開２０１３ー２５９１７号公報
【発明の概要】
【発明が解決しようとする課題】
【０００４】
ところで、ジョイントコネクタは小型化への要求が強く、端子間距離についてもできる限り短くすることが望まれる。しかしながら、特許文献１の図６に示されるジョイントコネクタにおいては、フェライトコアは、バスバー端子に対する嵌合方向の嵌めこみ位置が揃えられている為、端子間距離はフェライトコアによる制約を受けざるを得なかった。
【０００５】
本発明は上記のような事情に基づいて完成されたものであって、端子間距離が短くすることで小型化したフェライトコア内蔵コネクタを提供することを目的とする。
【課題を解決するための手段】
【０００６】
本発明のフェライトコア内蔵コネクタは、
端子金具と、
環状のフェライトコアと、
前記端子金具と前記フェライトコアを収容し、相手方コネクタと嵌合するコネクタハウジングとを備えたフェライトコア内蔵コネクタであって、
前記端子金具は、嵌合方向に延出し、入出力部となる複数本のタブ端子部と、前記タブ端子部を連結する基部とを備えており、
前記複数本のタブ端子部には、前記フェライトコアが少なくとも１つ以上嵌めこまれており、
前記タブ端子部の並び方向に隣接する前記フェライトコアは、嵌合方向に関しては前後にずれて配置されており、前記タブ端子部の並び方向に関してはラップするように配置されていることを特徴とする。
【発明の効果】
【０００７】
本発明によれば、端子金具のタブ端子部にはフェライトコアが嵌めこまれており、タブ端子部の並び方向に隣接するフェライトコアは、嵌合方向に関しては前後方向にずれて配置され、また、タブ端子部の並び方向に関してはラップするように配置される。よって、タブ端子部間距離はラップ長分短く（狭ピッチ化）できるので、フェライトコア内蔵コネクタを小型化することが可能となる。
【図面の簡単な説明】
【０００８】
【図１】実施例１に係る回路ユニットの正面図
【図２】同じく係る回路ユニットの平断面図
【図３】同じくフェライトコア内蔵コネクタの平断面図
【図４】同じくフェライトコア内蔵コネクタの側断面図
【図５】実施例２に係るフェライトコア内蔵コネクタの平断面図
【発明を実施するための形態】
【０００９】
本発明における好ましい実施の形態を説明する。
【００１０】
本発明のフェライトコア内蔵コネクタは、
前記入力部となる前記タブ端子部に嵌めこまれた前記フェライトコアと、前記出力部となる前記タブ端子部に嵌めこまれた他の前記フェライトコアとは、除去可能なノイズ成分の周波数帯域が異なる構成とすることが好ましい。
この構成によれば、入力部から出力部までの導通経路において、除去可能なノイズ成分の周波数帯域の異なるフェライトコアを経由する為、フェライトコア内蔵コネクタにおけるノイズ除去特性が向上する。
【００１１】
次に、本発明のフェライトコア内蔵コネクタを具体化した実施例１、２について、図面を参照しつつ説明する。
【００１２】
＜実施例１＞
本実施例のフェライトコア内蔵コネクタ１０（以下では、単にコネクタ１０と称する。）はバスバー端子（端子金具）２０と、ノイズ除去用のフェライトコア３０Ａ、３０Ｂと、コネクタハウジング１１とを備えて構成されている。尚、以下の説明において、前後方向については、図３の右側を前側、左側を後側とする。
【００１３】
コネクタハウジング１１は合成樹脂製であり、図３に示すように、前方に開口部１１Ｈを有した角筒状のフード部１２を備え、このフード部１２内には、回路ユニット４０がインサート成形によって一体に組み込まれている。回路ユニット４０はバスバー端子２０とフェライトコア３０Ａ、３０Ｂから構成されている。
【００１４】
バスバー端子２０は、銅合金等の金属の導電性板材を打ち抜いて曲げ加工等を施すことで成形されており、タブ状をなす８本のタブ端子部２２Ａ、２２Ｂとそれらを連結する基部２３から成る。図１に示すように、上段に位置する４本のタブ端子部２２Ａが正極側端子（入力部）２２Ａであり、下段に位置する４本のタブ端子部２２Ｂが負極側端子（出力部）２２Ｂである。各タブ端子部２２Ａ、２２Ｂは図２に示すように、基部２３より長手方向に対して等間隔で延出形成されており、タブ端子部２２Ａ、２２Ｂ間の間隔Ｌは、後述するフェライトコア３０Ａ、３０Ｂの半径Ｒの２倍よりも小さく設定されている（Ｌ＜２Ｒ）。そして８本のタブ端子部２２Ａ、２２Ｂは、共に図示しない相手方コネクタの雌端子金具と電気的に接続する。
【００１５】
フェライトコア３０Ａ、３０ＢはＦＭ周波数帯域のノイズ成分についての除去効果が高い第１フェライトコア３０Ａと、ＡＭ周波数帯域のノイズ成分についての除去効果が高い第２フェライトコア３０Ｂの２種類で構成されている。第１フェライトコア３０Ａの材質にはＮｉ−Ｚｎ系フェライトを、第２フェライトコア３０Ｂの材質にはＭｎ−Ｚｎフェライト材を用いる。また、図１に示すように、第１、第２フェイライトコア３０Ａ、３０Ｂは共に円形の環状を成しており、その中心軸上にはタブ端子部２２Ａ、２２Ｂが圧入気味に貫通可能なように貫通孔３０Ｈが開口している。また、第１、第２フェライトコア３０Ａ、３０Ｂにはその全面に図示しない樹脂被覆がコーティングされており、タブ端子部２２Ａ、２２Ｂに装着する際にフェライトコア３０Ａ、３０Ｂが損傷するのを防止している。
【００１６】
次に、バスバー端子２０にフェライトコア３０Ａ、３０Ｂを嵌めこむ手順の一例を説明する。まず、正極側端子２２Ａ（上段）側の図１において右方から２番目と４番目のタブ端子部２３Ａを第１フェライトコア３０Ａの貫通孔３０Ｈに通し、第１フェライトコア３０Ａが基部２３に当接するまで嵌めこむ。また、同様の手順で、負極側端子２２Ｂ（下段）側についても図１において右方から１番目と３番目のタブ端子部２３Ｂに第１フェライトコア３０Ａを基部２３に当接するまで嵌めこむ。次に、正極側端子２２Ａ（上段）側の図１において右方から１番目と３番目のタブ端子部２３Ａに第２フェライトコア３０Ｂを先に嵌めこんだ第１フェライトコア３０Ａに当接するまで嵌めこむ。また、負極側端子２２Ｂ（下段）側についても図１において右方から２番目と４番目のタブ端子部２３Ｂに第２フェライトコア３０Ｂを先に嵌めこんだ第１フェライトコア３０Ａに当接するまで嵌めこむ。上述の通り、タブ端子部２２の間隔Ｌはフェライトコア３０Ａ、３０Ｂの半径Ｒの２倍より小さく設定されている為、図１、２に示すように、先に嵌めこんだ第１フェライトコア３０Ａに対して隣接する第２フェライトコア３０Ｂが前後方向に位置ずれした状態で当接し、タブ端子部２２Ａ、２２Ｂの並び方向に関してラップすることとなる（ラップ長Ｌ’＝２Ｒ−Ｌ）。
【００１７】
次に、図示しない金型に対して回路ユニット４０を挿入する。その後、回路ユニット４０が樹脂により完全に包囲されるように樹脂成形すれば、コネクタ１０の製造は完了する。製造が完了した状態では、タブ端子部２２Ａ、２２Ｂの前方側がコネクタハウジング１１のフード部１２内に突出する。そして、バスバー端子２０の基部２３と、フェライトコア３０Ａ、３０Ｂが装着されたタブ端子部２２Ａ、２２Ｂの後方側は、フード部１２内に樹脂モールドされた状態で収容される。
【００１８】
実施例１の作用について説明すると、コネクタ１０の正極側端子２３Ａに入力されたノイズ成分を含む信号電流は第１フェライトコア３０Ａ及び第２フェライトコア３０Ｂを経由することで、ＦＭ及びＡＭ周波数帯域におけるノイズ電流が除去される。そして、負極側端子２３Ｂからはクリアな信号電流のみが出力される。
【００１９】
次に、実施例１の効果について説明する。
【００２０】
本実施例によれば、バスバー端子２０のタブ端子部２２Ａ、２２Ｂにはフェライトコア３０Ａ、３０Ｂが嵌めこまれており、タブ端子部２２Ａ、２２Ｂの並び方向に隣接するフェライトコア３０Ａ、３０Ｂは、前後方向にずれて配置され、また、タブ端子部２２Ａ、２２Ｂの並び方向に関してはラップするように配置されている。よって、タブ端子部２２Ａ、２２Ｂ間の間隔を隣接するフェライトコア３０Ａ、３０Ｂのラップ長分短く（狭ピッチ化）できるので、フェライトコア内蔵コネクタ１０を小型化することが可能となる。
【００２１】
また、入力部である正極側端子２２Ａから出力部である負極側端子２２Ｂまでの導通経路において、除去可能なノイズ成分の周波数帯域の異なる２種類のフェライトコア（第１、第２フェライトコア）３０Ａ、３０Ｂを経由する為、フェライトコア内蔵コネクタ１０におけるノイズ除去特性が更に向上する。
【００２２】
また、フェライトコア３０Ａ、３０Ｂには、汎用性の高い円形の環状フェライトコアを用いるので、専用形状のフェライトを必要としない。よって、部品製造コストを抑制することが可能となる。
【００２３】
＜実施例２＞
実施例１では、４本ずつの正極、負極側端子２２Ａ、２２Ｂを基部２３によって連結し、電気的に接続したフェライトコア内蔵コネクタ１０を例示したが、実施例２では、図５に示すように、各端子間の基部２３を切り離し、４対の正極、負極側端子２２Ａ、２２Ｂを電気的に独立させた。本実施例２によれば、実施例１と同様の効果を得られる。
【００２４】
以上、本発明によれば、端子金具２０のタブ端子部２２Ａ、２２Ｂにはフェライトコア３０Ａ、３０Ｂが嵌めこまれており、タブ端子部２２Ａ、２２Ｂの並び方向に隣接するフェライトコア３０Ａ、３０Ｂは、嵌合方向に関しては前後方向にずれて配置され、また、タブ端子部２２Ａ、２２Ｂの並び方向に関してはラップするように配置される。よって、タブ端子部２２Ａ、２２Ｂ間距離はラップ長分短く（狭ピッチ化）できるので、フェライトコア内蔵コネクタ１０を小型化することが可能となる。
【００２５】
＜他の実施例＞
本発明は上記記述及び図面によって説明した実施例に限定されるものではなく、例えば次のような実施例も本発明の技術的範囲に含まれる。
（１）上記実施例では、フェライトコアを円形の環状としたが、これに限らず、楕円形の環状であったり、方形の環状であっても良い。
（２）上記実施例では、フェライトコアにＮｉ−Ｚｎ系フェライト材にて作製した第１フェライトコアとＭｎ−Ｚｎ系フェライト材にて作製した第２フェライトコアの２種類を用いたが、これに限らず、２種類のうちいずれか１種類でも良い。
（３）上記実施例では、フェライトコアを第１、第２フェライトコアの２種類用いたが、これに限らず、ノイズ除去可能な周波数帯域の異なる３種類以上のフェライトコアを用いても良い。
（４）上記実施例では、各タブ端子部に１つずつ、フェライトコアを嵌めこんだが、これに限らず、各タブ端子部に２つ以上のフェライトコアを嵌めこんでも良い。
（５）上記実施例では、バスバー端子を用いたが、電線に接続された端子金具であっても良い。
（６）上記実施例では、端子金具のタブ端子部の極数を８としたが、これに限らず、端子部の極数に制限はない。
（７）上記実施例では、タブ端子部を上下２段で設けたが、これに限らず、１段あるいは３段以上設けても良い。
（８）上記実施例では、フェライトコアにＮｉ−Ｚｎ系フェライト材及びＭｎ−Ｚｎ系フェライト材を用いたが、これに限らず、フェライトコアの材料に制限はない。また、同じ材料であってもセラミック状ではなく結晶状のナノクリスタル材を用いても良い。
（９）上記実施例では、フェライトコア内蔵コネクタにジョイント機能を持たせたが、これに限らず、ジョイント機能を持たせなくても良い。
【符号の説明】
【００２６】
１０…フェライトコア内蔵コネクタ
１１…コネクタハウジング
２０…バスバー端子（端子金具）
２２Ａ…タブ端子部（入力部）
２２Ｂ…タブ端子部（出力部）
２３…基部
３０Ａ、３０Ｂ…第１、第２フェライトコア（フェライトコア）
【図１】
2014216094.tif 000003
【図２】
2014216094.tif 000004
【図３】
2014216094.tif 000005
【図４】
2014216094.tif 000006
【図５】
2014216094.tif 000007